(57)【特許請求の範囲】
【請求項１】
梱包箱の天面に位置する未封緘の一対の蓋部の上に、当該一対の蓋部で形成される閉部と交差するように置かれる平板部と、
当該平板部の前記閉部と交差する側の一辺から起立される起立部と、
を備え、
前記梱包箱の天面上に他の梱包箱が段積みされる際に、当該他の梱包箱の一部または当該他の梱包箱を運搬する運搬装置の一部が前記起立部に当たり、前記平板部と共に前記梱包箱の天面の端側に押されるように移動して落下するように構成されたことを特徴とする梱包箱の閉塞部材。
【請求項２】
前記平板部の前記起立部と反対側の辺には、前記平板部を前記梱包箱の天面上に置いた際に、当該梱包箱の一側面側に沿って垂下した垂下部が設けられることを特徴とする請求項１に記載の梱包箱の閉塞部材。
【請求項３】
前記平板部と前記起立部との間には、前記起立部が前記平板部側に倒れないように支持する支持部が設けられることを特徴とする請求項１または請求項２の何れかに記載の梱包箱の閉塞部材。
【請求項４】
前記平板部には、前記梱包箱の天面に位置する一対の蓋部の浮き上がりを抑える錘部材が設けられることを特徴とする請求項１から請求項３の何れかに記載の梱包箱の閉塞部材。
【請求項５】
部材自体の各部は、段ボール紙に切り抜き加工および折り曲げ加工を施して形成されることを特徴とする請求項１から請求項４の何れかに記載の梱包箱の閉塞部材。
【発明の詳細な説明】
【技術分野】
【０００１】
本発明は、梱包箱の閉塞部材に関するものである。
【背景技術】
【０００２】
電子機器等は、一般的に倉庫等における保管時において、段ボール箱等の梱包箱に収容されて梱包される。
【０００３】
一般に、梱包箱として用いられる段ボール箱は、一端の側板の側面に設けられた接着片が他端の側板に接着されて角筒状の胴体部が形成され、各側板に設けられた一対の蓋部によって底面と天面が形成される。
【０００４】
ところで、倉庫等における収容効率を高めるために、電子機器等を梱包した梱包箱を２〜３段程度の段積み状態とすることがある。
【０００５】
一方、電子機器等の出荷前の点検および初期設定を行う場合や、付属品等を追加して梱包する場合に備えて、天面の蓋部を粘着テープ等によって未だ封緘しない状態で倉庫等に保管することがある。
【０００６】
この場合には、梱包箱の段積み作業を行う際に、天面の蓋部が開いてしまい、梱包箱を載せる作業の妨げとなる場合があった。
【０００７】
段ボール箱の段積みに関する技術は、例えば特開２００６−２３２２８２号公報など種々提案されている。
【先行技術文献】
【特許文献】
【０００８】
【特許文献１】特開２００６−２３２２８２号公報
【発明の概要】
【発明が解決しようとする課題】
【０００９】
本発明は、段積み作業を円滑に行うことができる梱包箱の閉塞部材を提供することを目的とする。
【課題を解決するための手段】
【００１０】
前記課題を解決するため、請求項１の発明に係る梱包箱の閉塞部材は、梱包箱の天面に位置する未封緘の一対の蓋部の上に、当該一対の蓋部で形成される閉部と交差するように置かれる平板部と、当該平板部の前記閉部と交差する側の一辺から起立される起立部とを備え、前記梱包箱の天面上に他の梱包箱が段積みされる際に、当該他の梱包箱の一部または当該他の梱包箱を運搬する運搬装置の一部が前記起立部に当たり、前記平板部と共に前記梱包箱の天面の端側に押されるように移動して落下するように構成されたことを特徴とする。
【００１１】
請求項２の発明に係る梱包箱の閉塞部材は、請求項１に記載の発明について、前記平板部の前記起立部と反対側の辺には、前記平板部を前記梱包箱の天面上に置いた際に、当該梱包箱の一側面側に沿って垂下した垂下部が設けられることを特徴とする。
【００１２】
請求項３の発明に係る梱包箱の閉塞部材は、請求項１または請求項２の何れかに記載の発明について、前記平板部と前記起立部との間には、前記起立部が前記平板部側に倒れないように支持する支持部が設けられることを特徴とする。
【００１３】
請求項４の発明に係る梱包箱の閉塞部材は、請求項１から請求項３の何れかに記載の発明について、前記平板部には、前記梱包箱の天面に位置する一対の蓋部の浮き上がりを抑える錘部材が設けられることを特徴とする。
【００１４】
請求項５の発明に係る梱包箱の閉塞部材は、請求項１から請求項４の何れかに記載の発明について、部材自体の各部は、段ボール紙に切り抜き加工および折り曲げ加工を施して形成されることを特徴とする。
【発明の効果】
【００１５】
本発明によれば以下の効果を奏することができる。
【００１６】
すなわち、請求項１に記載の発明によれば、本構成を有していない場合に比較して、段積み作業を円滑に行うことができる梱包箱の閉塞部材を提供することができる。
【００１７】
請求項２に記載の発明によれば、本構成を有していない場合に比較して、段積み作業時に部材自身をより確実に落下させて作業を一層円滑に行うことができる梱包箱の閉塞部材を提供することができる。
【００１８】
請求項３に記載の発明によれば、本構成を有していない場合に比較して、段積み作業時に部材自身をより確実に押圧移動させて作業を一層円滑に行うことができる梱包箱の閉塞部材を提供することができる。
【００１９】
請求項４に記載の発明によれば、本構成を有していない場合に比較して、段積み作業時に部材自身をよりスムーズに押圧移動させて作業を一層円滑に行うことができる梱包箱の閉塞部材を提供することができる。
【００２０】
請求項５に記載の発明によれば、本構成を有していない場合に比較して、低コストで構成することのできる梱包箱の閉塞部材を提供することができる。
【図面の簡単な説明】
【００２１】
【図１】実施の形態に係る梱包箱の閉塞部材の構成例を示す斜視図である。
【図２】実施の形態に係る梱包箱の閉塞部材の使用例を示す斜視図である。
【図３】実施の形態に係る梱包箱の閉塞部材の使用手順を示す説明図である。
【図４】実施の形態に係る梱包箱の閉塞部材の使用手順の続きを示す説明図である。
【図５】実施の形態に係る梱包箱の閉塞部材の使用手順の続きを示す説明図である。
【図６】実施の形態に係る梱包箱の閉塞部材の使用手順の続きを示す説明図である。
【図７】実施の形態に係る梱包箱の閉塞部材の構成例を示す展開図（ａ）と斜視図（ｂ）である。
【図８】実施の形態に係る梱包箱の閉塞部材の構成例を示す展開図（ａ）と斜視図（ｂ）である。
【図９】実施の形態に係る梱包箱の閉塞部材の構成例を示す展開図（ａ）と斜視図（ｂ）である。
【図１０】比較対象を例示する斜視図である。
【図１１】比較対象を例示する斜視図である。
【発明を実施するための形態】
【００２２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２３】
本発明についての実施の形態に係る梱包箱の閉塞部材について説明する前に、図１０および図１１を参照して比較対象となる例について述べる。
【００２４】
なお、段ボール箱で構成される梱包箱１００は、例えば、一端の側板の側面に設けられた接着片が他端の側板に接着されて角筒状の胴体部４００が形成され、各側板に設けられた一対の蓋部１００ａ、１００ｂによって底面（図には現れない）と天面５００が形成される（図１０等参照）。
【００２５】
まず、倉庫等における収容効率を高めるなどの目的のために、電子機器等を梱包した梱包箱１００を２〜３段程度の段積み状態とすることがある（後述する図６参照）。
【００２６】
また、電子機器等の出荷前の点検および初期設定を行う場合や、付属品等を追加して梱包する場合に備えて、梱包箱１００の天面５００に位置する蓋部（フラップ部）１００ａ、１００ｂを粘着テープ等によって未だ封緘しない状態で倉庫等に保管することがある。
【００２７】
この場合には、梱包箱１００へ段積み作業を行う際に、天面５００に位置する蓋部１００ａ、１００ｂが開いてしまい、蓋部１００ａ、１００ｂに傷が付いたり、他の梱包箱１００を載せる作業の妨げとなる場合があった。
【００２８】
そこで、例えば図１０に示すように、作業者２００が手によって、梱包箱１００の天面５００に位置する蓋部１００ａ、１００ｂを押さえて、蓋部１００ａ、１００ｂが開くのを防いだ状態において、フォークリフト等の運搬装置を用いて他の梱包箱の段積み作業を行っていた。この場合には、作業時における作業者２００の安全性が問題となる。
【００２９】
また、作業者２００が手で押さえる代わりに、梱包箱１００の天面５００に位置する蓋部１００ａ、１００ｂの上に錘を置くことも考えられるが、その錘が段積み作業の妨げになり、作業性が低下する虞があった。
【００３０】
また、図１１に示すように、梱包箱１００の端部側をポリプロピレン製のバンド（ＰＰバンド）１５０等で巻いて仮留めを行い、梱包箱１００の天面５００に位置する蓋部１００ａ、１００ｂが開かない状態にしてからフォークリフト等の運搬装置を用いて他の梱包箱の段積み作業を行うことも考えられる。
【００３１】
しかしながら、この場合には、図１１に示す位置Ｐ１〜Ｐ４において、梱包箱１００に凹みや破れ等の傷が付く虞があった。
【００３２】
そこで、本発明者は、上記課題を解消すべく鋭意研究の結果、本発明に係る梱包箱の閉塞部材を想到するに至った。
【００３３】
図１から図９を参照して、本発明についての実施の形態に係る梱包箱の閉塞部材１について説明する。
【００３４】
なお、図１、図２では、台座１０１の上に２つの梱包箱１００が並べられた状態とされ、この２つの梱包箱１００上に他の２つの梱包箱１００’が段積みする場合に適用される閉塞部材１を示すが、これに限定されるものではなく、１つの梱包箱１００上に他の梱包箱１００’を段積みする場合に適用するようにしてもよい。
【００３５】
本実施の形態に係る梱包箱の閉塞部材１は、粘着テープ等で未だ封緘していない梱包箱１００を段積みする際に、梱包箱１００の天面の一対の蓋部１００ａ、１００ｂを閉塞状態とする部材である。
【００３６】
梱包箱の閉塞部材１は、閉塞状態とされ且つ未封緘の梱包箱１００の一対の蓋部１００ａ、１００ｂの上に、前記一対の蓋部１００ａ、１００ｂで形成される閉部１０５（図２参照）と交差（図２に示す例では直交している）するように置かれる平板部１ａと、この平板部１ａの前記閉部１０５と交差する側の一辺２から起立される起立部１ｂとを備える。なお、閉部１０５は、直線状、波形状等の何れであってもよい。
【００３７】
そして、梱包箱１００の天面５００上に他の梱包箱１００’（図３参照）が段積みされる際に、この他の梱包箱１００’の一部または他の梱包箱１００’を運搬するフォークリフトＦ（運搬装置の一例）の一部３００（例えば、フォーク３００の先端部３００ａ等）が起立部１ｂに当たり、平板部１ａと共に梱包箱１００の天面５００の端側（図４、図５では、矢印Ｂ側）に押されるように移動して落下するように構成されている。
【００３８】
なお、図１および図２に示す例では、梱包箱の閉塞部材１の平板部１ａの長さは、２つの梱包箱１００の横幅と同等の長さとされているが、これには限定されず、蓋部１００ａ、１００ｂで形成される閉部１０５と交差する長さ（即ち、閉部１０５を跨ぐ長さ）となっていれば足りる。
【００３９】
また、平板部１ａの起立部１ｂと反対側の辺３には、平板部１ａを梱包箱１００の天面５００上に置いた際に、当該梱包箱１００の一側面１０６側に沿って垂下した垂下部１ｃが設けられている。
【００４０】
なお、図１および図２に示す例では、梱包箱の閉塞部材１は、両側に側板部１ｄを備えているが、この側板部１ｄは必須ではなく省略するようにしてもよい。
【００４１】
また、平板部１ａと起立部１ｂとの間に、起立部１ｂが平板部１ａ側に倒れないように支持する支持部が設けられるようにしてもよい（具体的な構成例については図７〜図９を参照して後述する）。
【００４２】
また、平板部１ａに、梱包箱１００の天面５００の一対の蓋部１００ａ、１００ｂの浮き上がりを抑える錘部材が設けられるようにしてもよい。あるいは、梱包箱の閉塞部材１の全体重量が、蓋部１００ａ、１００ｂの浮き上がりを抑える重さとなるようにしてもよい。さらに、錘部材が、前記支持部を兼ねるように構成してもよい。
【００４３】
また、後述するように、梱包箱の閉塞部材１の各部は、段ボール紙に切り抜き加工および折り曲げ加工を施して形成するようにしてもよい。なお、梱包箱の閉塞部材１の構成材は段ボール紙に限定されず、プラスチック等の樹脂で形成するようにしてもよい。
【００４４】
次に、図１〜図６を参照して、本実施の形態に係る梱包箱の閉塞部材１の使用方法について説明する。
【００４５】
まず、作業者は、梱包箱の閉塞部材１を垂下部１ｃおよび側板部１ｄが下側となるようにして持ち、梱包箱１００の天面５００の上側から矢印Ａ側に降ろして、図２に示すように、平板部１ａが天面５００に位置する蓋部１００ａ、１００ｂに置かれ、垂下部１ｃが梱包箱１００の前面（一側面）１０６に接し、側板部１ｄが梱包箱１００の側面に接する状態とする。
【００４６】
これにより、作業者が手で蓋部１００ａ、１００ｂを押さえることなく、梱包箱の閉塞部材１の重量により蓋部１００ａ、１００ｂが閉じられた状態が保持される。
【００４７】
次いで、図３に示すように、梱包箱１００の上に他の梱包箱１００’を段積みする作業を開始する。
【００４８】
図３に示すように、まず、他の梱包箱１００’をフォークリフトＦのフォーク３００に載せて、梱包箱１００の梱包箱の閉塞部材１が置かれていない側の上まで搬送する。
【００４９】
次に、図４に示すように、フォークリフトＦの操作により他の梱包箱１００’を矢印Ｂ側に徐々に移動させる。
【００５０】
そして、他の梱包箱１００’の前面の下端部が梱包箱の閉塞部材１の起立部１ｂに当たると、他の梱包箱１００’の矢印Ｂ方向への移動に連れて、梱包箱の閉塞部材１自体も矢印Ｂ方向（天面５００の端側）へ押されて移動される。
【００５１】
さらに、梱包箱の閉塞部材１自体の矢印Ｂ方向（天面５００の端側）へ押圧移動が継続されると、梱包箱の閉塞部材１自体が自重により、梱包箱１００から落下する（図５に示す状態）。
【００５２】
次いで、フォークリフトＦの操作によりフォーク３００を矢印Ｂと反対方向に抜き去ることにより、図６に示すように、梱包箱１００の上に他の梱包箱１００’が積み上げられた状態となり、段積み作業が完了する。
【００５３】
このように、本実施の形態に係る梱包箱の閉塞部材１によれば、梱包箱１００に梱包箱の閉塞部材１を載せるだけで、作業者が手で蓋部１００ａ、１００ｂを押さえる必要がなくなり、また、梱包箱１００上への他の梱包箱１００’の段積み作業の途中で、梱包箱の閉塞部材１が自重により落下するので作業効率が向上される。
【００５４】
次に、図７〜図９を参照して、梱包箱の閉塞部材を段ボール紙で構成する場合の構成例について説明する。
【００５５】
なお、図７〜図９に示す梱包箱の閉塞部材の展開図において、実線は「切り込み線」を、一点鎖線は「外側折り曲げ罫線」を、破線は「内側外曲げ罫線」をそれぞれ示すものとする。
【００５６】
図７の（ａ）に示す梱包箱の閉塞部材６００の展開図では、矩形状の平板部６００ａの一長辺側に起立部６００ｂが形成され、この起立部６００ｂの左右両端側に差込片６００ｆを有する支持部６００ｅが形成されている。
【００５７】
また、平板部６００ａの左右両端側には、差込片６００ｉを有する側板部６００ｄが形成されている。
【００５８】
また、平板部６００ａと各側板部６００ｄとの境界付近には前記差込片６００ｆを差し込む差込溝６００ｇが形成されている。
【００５９】
さらに、平板部６００ａの他方の長辺側には、前記差込片６００ｉを差し込む差込溝６００ｈを有する垂下部６００ｃが形成されている。
【００６０】
そして、上記構成を備える段ボール紙を前述の一点鎖線、破線に沿って折り曲げ加工すると共に各差込片６００ｆ、６００ｉを各差込溝６００ｇ、６００ｈに差し込む加工を行うことにより、図７の（ｂ）に示すような梱包箱の閉塞部材６００が作成される。
【００６１】
なお、必要に応じて平板部６００ａの上に、錘部材を設けるようにしてもよい。
【００６２】
次に、図８の（ａ）に示す梱包箱の閉塞部材７００の展開図では、矩形状の平板部７００ａの一長辺側に起立部７００ｂが形成され、起立部７００ｂには組み立てられた際に傾斜して起立部７００ｂを支持する支持部７００ｄが設けられている。
【００６３】
支持部７００ｄの左右両端側には、差込片７００ｆを有し、組み立てられた際に起立部７００ｂを支持する側壁部７００ｅが形成されている。
【００６４】
また、平板部７００ａの左右両端側には、差込片７００ｊを有する側板部７００ｇが形成されている。
【００６５】
また、平板部７００ａと各側板部７００ｇとの境界付近には前記差込片７００ｆを差し込む差込溝７００ｈが形成されている。
【００６６】
さらに、平板部７００ａの他方の長辺側には、前記差込片７００ｊを差し込む差込溝７００ｉを有する垂下部７００ｃが形成されている。
【００６７】
そして、上記構成を備える段ボール紙を前述の一点鎖線、破線に沿って折り曲げ加工すると共に、各差込片７００ｆ、７００ｊを各差込溝７００ｈ、７００ｉに差し込む加工を行うことにより、図８の（ｂ）に示すような梱包箱の閉塞部材７００が作成される。
【００６８】
なお、必要に応じて平板部７００ａの上に、錘部材を設けるようにしてもよい。
【００６９】
次に、図９の（ａ）に示す梱包箱の閉塞部材８００の展開図では、矩形状の平板部８００ａの一長辺側に起立部８００ｂが形成されている。
【００７０】
なお、起立部８００ｂの左右端部は、折り曲げ加工された場合に起立部８００ｂを支持する支持部８００ｄを構成する。
【００７１】
また、支持部８００ｄの平板部８００ａ側には、平板部８００ａの一部に形成される切り込み線８０１を介して形成される差込片８００ｅが設けられている。なお、平板部８００ａには、各差込片８００ｅを差し込む差込溝８００ｆが形成されている。
【００７２】
また、平板部８００ａの左右端には、差込片８００ｈを有する側板部８００ｇが形成されている。
【００７３】
さらに、平板部８００ａの他方の長辺側には、前記差込片８００ｈを差し込む差込溝８００ｉを有する垂下部８００ｃが形成されている。
【００７４】
そして、上記構成を備える段ボール紙を前述の一点鎖線、破線に沿って折り曲げ加工すると共に、各差込片８００ｅ、８００ｈを各差込溝８００ｆ、８００ｉに差し込む加工を行うことにより、図９の（ｂ）に示すような梱包箱の閉塞部材８００が作成される。
【００７５】
なお、必要に応じて平板部８００ａの上に、錘部材を設けるようにしてもよい。
【００７６】
このようにして、比較的安価な段ボール紙を用いて梱包箱の閉塞部材６００〜８００を構成する場合には、低コストで梱包箱の閉塞部材が提供される。
【００７７】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００７８】
本発明による梱包箱の閉塞部材は、電子機器等を収容した梱包箱の段積み作業に適用することができる。
【符号の説明】
【００７９】
１  梱包箱の閉塞部材
１ａ  平板部
１ｂ  起立部
１ｃ  垂下部
１ｄ  側板部
１００  梱包箱
１００ａ、１００ｂ  蓋部
１０１  台座
１０５  閉部
２００  作業者
３００  フォーク
３００ａ  フォークの先端部
４００  胴体部
５００  天面
６００  梱包箱の閉塞部材
６００ａ  平板部
６００ｂ  起立部
６００ｃ  垂下部
６００ｄ  側板部
６００ｅ  支持部
６００ｆ  差込片
６００ｇ  差込溝
６００ｈ  差込溝
６００ｉ  差込片
７００  梱包箱の閉塞部材
７００ａ  平板部
７００ｂ  起立部
７００ｃ  垂下部
７００ｄ  支持部
７００ｅ  側壁部
７００ｆ  差込片
７００ｇ  側板部
７００ｈ  差込溝
７００ｉ  差込溝
７００ｊ  差込片
８００  梱包箱の閉塞部材
８００ａ  平板部
８００ｂ  起立部
８００ｃ  垂下部
８００ｄ  支持部
８００ｅ  差込片
８００ｆ  差込溝
８００ｇ  側板部
８００ｈ  差込片
８００ｉ  差込溝
Ｆ  フォークリフト
【図１】
0005605756.tif 000002
【図２】
0005605756.tif 000003
【図３】
0005605756.tif 000004
【図４】
0005605756.tif 000005
【図５】
0005605756.tif 000006
【図６】
0005605756.tif 000007
【図７】
0005605756.tif 000008
【図８】
0005605756.tif 000009
【図９】
0005605756.tif 000010
【図１０】
0005605756.tif 000011
【図１１】
0005605756.tif 000012